(57)【要約】【課題】中間縦枠の充分な強度を確保することができる引き戸ユニットを提供することを主たる課題とする。また、中間縦枠による引き戸の損傷を防止するとともに、戸袋内部を覆い、戸袋内に埃等が入り込みにくいようにした引き戸ユニットを提供することを従たる課題とする。【解決手段】左右一対の戸先側縦枠２１および戸尻側縦枠２２と、戸先側縦枠２１と戸尻側縦枠２２の間に掛け渡される横枠２３，２４と、を有する外枠２と、外枠２の横枠２３に取り付けられる中間縦枠３と、外枠２内を左右方向に摺動する引き戸５と、を有し、戸尻側縦枠２２から中間縦枠３までの外枠内空間に戸袋７を形成し、中間縦枠３から戸先側縦枠２１までに出入口８としての開口部を形成する引き戸ユニット１であって、中間縦枠３における引き戸５側の面には、補強用のブラシ４が配設されている。【選択図】図２
2007170082.tif 000002
【特許請求の範囲】
【請求項１】
左右一対の戸先側縦枠および戸尻側縦枠と、前記戸先側縦枠と前記戸尻側縦枠の間に掛け渡される横枠と、を有する外枠と、
前記外枠の前記横枠に取り付けられる中間縦枠と、
前記外枠内を横方向に摺動する引き戸と、を有し、
前記戸尻側縦枠から前記中間縦枠までの前記外枠内空間に戸袋を形成し、前記中間縦枠から前記戸先側縦枠までに出入口としての開口部を形成する引き戸ユニットであって、
前記中間縦枠における前記引き戸側の面には、補強用ブラシが配設されていることを特徴とする引き戸ユニット。
【請求項２】
前記補強用ブラシは、前記中間縦枠の上下方向に沿って延設されていることを特徴とする請求項１に記載の引き戸ユニット。
【請求項３】
前記補強用ブラシは、前記中間縦枠の上下方向中央付近に設けられていることを特徴とする請求項１に記載の引き戸ユニット。
【請求項４】
前記中間縦枠は、前記横枠の前後方向両側に対向して一対設けられており、前記補強用ブラシは、一対の前記中間縦枠の互いに対向する面にそれぞれ設けられていることを特徴とする請求項１から請求項３のいずれか１項に記載の引き戸ユニット。
【請求項５】
前記補強用ブラシは、その先端部が、通常時、前記引き戸に当接しないように設計されていることを特徴とする請求項１から請求項４のいずれか１項に記載の引き戸ユニット。
【請求項６】
前記補強用ブラシは、基材に複数本の繊維を植毛して構成され、前記繊維はフッ素樹脂からなること、または、フッ素樹脂加工されていることを特徴とする請求項１から請求項５のいずれか１項に記載の引き戸ユニット。
【発明の詳細な説明】
【技術分野】
【０００１】
本発明は、建物に設置される引き戸ユニットに関するものである。
【背景技術】
【０００２】
近年、ユニバーサルデザインの観点から、開閉が容易な引き戸が注目を浴びている。
一般に、引き戸ユニットには、引き戸の片面側にのみ壁ボードを設置し、その反対側は開放した片面タイプの戸袋を有するものがあるほか、引き戸の両面側を壁ボードで覆う両面タイプの戸袋を有するものがある（例えば、特許文献１参照）。両面タイプの戸袋を有する引き戸ユニットは、片側に戸袋が露出することがないことからデザイン性も良く、また、戸袋の向きによる使い勝手の制約もないことから、各部屋の間仕切りとして活用されつつある。
【特許文献１】特開平１０−４６９２３号公報（段落０００９，００１８、図２）
【発明の開示】
【発明が解決しようとする課題】
【０００３】
しかしながら、前記従来技術の引き戸ユニットでは、戸袋を形成する壁ボードやこの壁ボードを支持する中間縦枠と引き戸との間に隙間が形成されていることから、壁ボードや中間縦枠が外力を受けると撓みやすい構造となっており、強度上改善すべき点があった。そして、壁ボードや中間縦枠が内向きに撓むと、引き戸に当接して、引き戸を損傷するという問題があった。
また、中間縦枠と引き戸の間の隙間から戸袋内が見えると、美観を損なうという問題があった。さらに、中間縦枠と引き戸の間に隙間があると、戸袋内に埃等が入り込みやすい。両面に壁ボードが取り付けられて戸袋を形成するタイプの引き戸ユニットでは、戸袋内の掃除が面倒であることから、戸袋内にはできるだけ埃が入らないようにすることが望ましい。
【０００４】
そこで、本発明では、中間縦枠の充分な強度を確保することができる引き戸ユニットを提供することを主たる課題とする。また、中間縦枠による引き戸の損傷を防止するとともに、戸袋内部を覆い、戸袋内に埃等が入り込みにくいようにした引き戸ユニットを提供することを従たる課題とする。
【課題を解決するための手段】
【０００５】
前記課題を解決するため、請求項１に係る発明は、左右一対の戸先側縦枠および戸尻側縦枠と、前記戸先側縦枠と前記戸尻側縦枠の間に掛け渡される横枠と、を有する外枠と、前記外枠の前記横枠に取り付けられる中間縦枠と、前記外枠内を左右方向に摺動する引き戸と、を有し、前記戸尻側縦枠から前記中間縦枠までの前記外枠内空間に戸袋を形成し、前記中間縦枠から前記戸先側縦枠までに出入口としての開口部を形成する引き戸ユニットであって、前記中間縦枠における前記引き戸側の面には、補強用ブラシが配設されていることを特徴とする。
【０００６】
請求項１に記載の引き戸ユニットによれば、中間縦枠の引き戸側の面に補強用ブラシが配設されているため、中間縦枠が外力を受けて撓んでも、補強用ブラシが引き戸に当接して、中間縦枠は引き戸で支持されるようになっている。これにより、中間縦枠の強度を確保することができる。また、中間縦枠が撓んでも、引き戸に当接するのは補強用ブラシであることから、その際の衝撃が緩和され、引き戸の損傷を防止することができる。さらに、中間縦枠と引き戸の間では、補強用ブラシが配設されている分隙間が狭くなっているので、戸袋内が見えにくくなっており、美観の維持を図ることができるとともに、戸袋内への埃の侵入も防止することができる。
【０００７】
請求項２に記載の発明は、請求項１に記載の引き戸ユニットにおいて、前記補強用ブラシは、前記中間縦枠の上下方向に沿って延設されていることを特徴とする。
【０００８】
請求項２に記載の引き戸ユニットによれば、請求項１に記載の発明による作用に加え、補強用ブラシが中間縦枠の上下方向に沿って延設されていることで、全長に亘って補強をすることができる。
【０００９】
請求項３に記載の発明は、請求項１に記載の引き戸ユニットにおいて、前記補強用ブラシは、前記中間縦枠の上下方向中央付近に設けられていることを特徴とする。
【００１０】
請求項３に記載の引き戸ユニットによれば、請求項１に記載の発明による作用に加え、補強用ブラシが中間縦枠の最も撓みの大きい箇所に設けられており、補強用ブラシを効率的に配設することができる。
【００１１】
請求項４に記載の発明は、請求項１から請求項３のいずれか１項に記載の引き戸ユニットにおいて、前記中間縦枠は、前記横枠の前後方向両側に対向して一対設けられており、前記補強用ブラシは、一対の前記中間縦枠の互いに対向する面にそれぞれ設けられていることを特徴とする。
【００１２】
請求項４に記載の引き戸ユニットによれば、請求項１から請求項３のいずれか１項に記載の発明による作用に加え、横枠の前後方向両側に対向して設けられる一対の中間縦枠には、互いに対向する面に補強用ブラシが設けられているため、前後いずれの側からの外力にも対応した補強構造にすることができる。
【００１３】
請求項５に記載の発明は、請求項１から請求項４のいずれか１項に記載の引き戸ユニットにおいて、前記補強用ブラシは、その先端部が、通常時、前記引き戸に当接しないように設計されていることを特徴とする。
【００１４】
請求項５に記載の引き戸ユニットによれば、補強用ブラシの先端部は、通常時、引き戸に当接しないため、引き戸を外枠内で摺動させる際、引き戸と補強用ブラシの先端部が摺接することがない。これにより、補強用ブラシの摺接により生じる引き戸の損傷を防止することができる。
【００１５】
請求項６に記載の発明は、請求項１から請求項５のいずれか１項に記載の引き戸ユニットにおいて、前記補強用ブラシは、基材に複数本の繊維を植毛して構成され、前記繊維はフッ素樹脂からなること、または、フッ素樹脂加工されていることを特徴とする。
【００１６】
請求項６に記載の引き戸ユニットによれば、繊維がフッ素樹脂からなること、または、フッ素樹脂加工されていることから、低摩擦特性を有する。これにより、補強用ブラシの繊維が引き戸と摺接した場合であっても、滑りやすくなっており、引き戸を損傷させにくくなっている。
【発明の効果】
【００１７】
本発明に係る引き戸ユニットによれば、中間縦枠に補強用ブラシが設けられていることで、中間縦枠が撓んでも、補強用ブラシが引き戸に当接して支持することで、中間縦枠の充分な強度を確保することができる。また、補強用ブラシにより、中間縦枠による引き戸の損傷を防止することができる。さらに、補強用ブラシが戸袋内部を覆い、戸袋内への埃等の侵入も防止することができる。
【発明を実施するための最良の形態】
【００１８】
次に、本発明の実施の形態について、適宜図面を参照しながら詳細に説明する。図１は、本実施形態に係る引き戸ユニットを示す斜視図であり、図２は、本実施形態に係る引き戸ユニットを示す断面正面図である。なお、図１に示す、建物に取り付けられるときの引き戸ユニットの状態を基準に、前後左右上下の方向を定め、以下、説明するものとする。
【００１９】
図１および図２に示すように、本実施形態に係る引き戸ユニット１は、各部屋の間仕切りとして建物に取り付けられるユニットであり、略方形枠状に組まれた外枠２と、この外枠２の前後方向両側に接合される一対の中間縦枠３，３（図１では前側の１本のみ図示）と、この中間縦枠３の内面側に取り付けられるブラシ４（補強用ブラシ）（図２、図４〜図６参照）と、外枠２の枠内を左右方向に移動する上吊式の引き戸５とを備えて構成されている。そして、外枠２の両側には、壁ボード６，６（図２、図４〜図６参照）が貼り付けられており、外枠２と壁ボード６で囲まれた空間が、引き戸５を収納するための戸袋７となっている。また、外枠２内の壁ボード６，６で囲われない開口部側は、出入口８となっている。なお、出入口８側が引き戸５の「戸先５ａ側」であり、戸袋７側が「戸尻５ｂ側」である。
【００２０】
外枠２は、壁ボード６等を支える骨組体であり、左右に配列された戸先側縦枠２１および戸尻側縦枠２２と、この戸先側縦枠２１と戸尻側縦枠２２の上端部間に連結される上横枠２３と、戸尻側縦枠２２と中間縦枠３の下端部間に連結される下横枠２４とから構成される。外枠２は、戸袋７側が矩形状を呈し、出入口８側が逆Ｌ字状を呈する形状になっている。
【００２１】
図３（ａ）は図２の引き戸ユニットのIII−III線矢視断面図であり、（ｂ）は（ａ）のブラシ近傍の要部拡大図である。
図３（ａ）に示すように、戸先側縦枠２１は、長尺状のコ字状部材２１ｂである。このコ字状部材２１ｂは、鉛直に立設される長尺角パイプ状の下地材２１ａに外嵌するとともに、長尺角パイプ状の下地材２１ｃに隣接するように配置される。下地材２１ａの引き戸５側には、ドア枠２１ｄが固定される。コ字状部材２１ｂおよび下地材２１ｃの前（正面）側および後（背面）側には壁ボード６Ａ，６Ａが取り付けられ、壁ボード６Ａの外面側から下地材２１ｃに向けて螺入されるビスＶ１で固定される。また、ドア枠２１ｄは下地材２１ａにビスＶ２で固定される。ドア枠２１ｄの幅方向中央には、上下方向に沿って溝部Ｄが設けられており、引き戸５の戸先５ａの戸当り部となっている。戸先５ａがこの溝部Ｄに嵌まり込むことで、引き戸ユニット１で仕切られた各部屋に互いの部屋の光が漏れないようになっている。
【００２２】
戸尻側縦枠２２は、前記戸先側縦枠２１と所定間隔を空けて鉛直に立設される部材である。戸尻側縦枠２２は、長尺角パイプ状の下地材２２ａに取り付けられる部材２２ｂから構成される。下地材２２ａの前側および後側には壁ボード６，６が取り付けられ、壁ボード６の外面側から下地材２２ａに向けて螺入されるビスＶ３で固定される。部材２２ｂは、断面略コ字状の長尺部材であり、下地材２２ａとともに、壁ボード６を支持する。部材２２ｂの内側にはゴム部材２２ｃが取り付けられており、このゴム部材２２ｃは引き戸５の戸尻５ｂの戸当たりを緩衝するようになっている。
【００２３】
図４は、図２の引き戸ユニットのIV−IV線矢視断面図である。
図４に示すように、上横枠２３は、上向きに開口した断面コ字状の下部材２３ａと、この下部材２３ａに上側から嵌合する断面コ字状の上部材２３ｂとから、略角パイプ状に組まれた部材である。下部材２３ａは、図２に示すように、戸先側縦枠２１と戸尻側縦枠２２にビス止めされて固定されている。上部材２３ｂは、下部材２３ａに戸先側と戸尻側に二つ並べてビス止めされている。また、戸先側の上部材２３ｂの前側および後側には、断面Ｌ字状のＬ字状部材２３ｃ（図１および図４参照）が固定され、図４に示すように、建物開口部の上壁６Ｂを受ける部分となっている。また、戸尻側の上部材２３ｂの前側および後側には、平板２３ｄ（図１参照）が固定されている。この平板２３ｄにより、壁ボード６を貼り付ける際の隙間が生じないようになっている。
また、下部材２３ａの下部にはレール２３ｅが公知の手段で取り付けられ、このレール２３ｅに沿って後記する引き戸５が摺動できるようになっている。
【００２４】
下横枠２４は、断面略コ字状の長尺部材である。下横枠２４は、建物の床面側に、開口側が上を向いた状態で、前記上横枠２３と平行に、かつ対峙するように取り付けられている。下横枠２４の前側および後側には、壁ボード６を貼り付ける際、隙間が生じないようにするための平板２４ａ，２４ａがそれぞれ固定されている。また、下横枠２４の内側には、断面Ｔ字状の振れ止め部材２４ｂが設けられている。
なお、床面への固定方法は、釘打ち、ビス止め、接着等、種々の手段を用いることができる。
【００２５】
再び図３（ａ）に戻って示すように、中間縦枠３は、外枠２の前側および後側に、一対取り付けられており、外枠２を補強している。中間縦枠３は、その上端部および下端部が外枠２の上横枠２３および下横枠２４（図１参照）にそれぞれビス止めされる接合部３１と、その接合部３１から連続して形成される断面コ字状の補強材取付部３２と、この補強材取付部３２に取り付けられる補強材３３とから構成される長尺部材である。外枠２に対する接合部３１の取付手段は、ビス止めに限定されるものではなく、溶接、両面テープ、接着剤等種々の手段を採用することができる。
【００２６】
補強材３３は、補強材取付部３２の全長に亘って、補強材取付部３２内に嵌め込まれる角パイプであり、外枠２を補強する。補強材３３は、両面テープや接着剤等で補強材取付部３２に取り付けられ、さらにビスＶ４で固定される。
【００２７】
また、補強材取付部３２およびこの補強材取付部３２に取り付けられる補強材３３には、その外側から、カバー部材９が被せられている。カバー部材９は、断面略コ字状の部材で、補強材取付部３２に外側から嵌合できるようになっており、これらの取付強度を確保することができる。なお、カバー部材９に引き戸５等と外観を合わせた薄い化粧シート等を貼り付けておくと、一層見栄えが良い。
【００２８】
図３（ｂ）に示すように、ブラシ４（補強用ブラシ）は、基材４１と、この基材４１に密集して植毛される繊維４２とから構成される。この基材４１は、補強材３３の長さと略同一の長さを有しており、補強材３３の引き戸５側の面に上下方向に沿って、延設されている（図２参照）。繊維４２は、通常時、その先端部が引き戸５に当接しない長さに形成されており、その長さＬ１が約９ｍｍで、先端部から引き戸５までの間隔Ｌ２は、例えば、約５ｍｍあることが好ましい。この間隔Ｌ２（ブラシ４と引き戸５の隙間）が小さいと、引き戸５の動きが重くなってしまうが、５ｍｍ位の隙間を空けることで、引き戸５の動きを軽くすることができる。また、毛の植込み幅Ｌ３は約９ｍｍ、望ましくは約１５ｍｍである。幅Ｌ３が約１５ｍｍのものと使うと、充分な強度を得ることができる。繊維４２は、特に限定されるものではないが、例えば、ナイロン繊維、ポリプロピレン繊維、フッ素樹脂繊維、または、ナイロン繊維をフッ素樹脂加工したものなどがある。ナイロン繊維によれば、磨耗性が良いため引き戸の損傷を防止することができる。また、ポリプロピレン樹脂繊維によれば、繊維が寝ないため、ナイロン繊維よりも強度を向上させることができる。
【００２９】
図４に示すように、引き戸５には、その上部に固定されるローラ保持部材５１と、このローラ保持部材５１に回転自在に支持される一対のローラ５２，５２とが取り付けられている。ローラ５２，５２は前記したレール２３ｅ内を転動するようになっており、これにより、引き戸５は、レール２３ｅに吊り下げられた状態で、レール２３ｅに沿って移動自在になっている。また、引き戸５の下部は、左右方向に沿って溝部５ｃが形成されており、この溝部５ｃ内に下横枠２４の内側に設けられた振れ止め部材２４ｂが嵌まり、引き戸５の振れを防止する。
【００３０】
なお、引き戸５を木材で作製すると木のそり等で変形しやすくなるため、スチール材等で作製することが好ましい。これによれば、引き戸５本体の強度を高めることができる。さらに、引き戸５内部のフレーム（柱）の本数を増やしたりすると、より一層強度を高めることができる。また、引き戸５は、外枠２内で開位置または閉位置のいずれの位置にあるときでも、一対の中間縦枠３，３の間に引き戸５の一部が重なるようになっている。
【００３１】
図３に示すように、壁ボード６は、その表面に壁クロス等を貼られた壁材であり、例えば、従来用いられている石膏ボード、硬質石膏ボード等から構成されるものである。壁ボード６は、外枠２の前側および後側に設けられるもので、前記したように、戸尻側縦枠２２の下地材２２ａにビスＶ３で留め付けられるとともに、戸尻側縦枠２２の部材２２ｂおよび中間縦枠３の接合部３１には両面テープ等で固定されている。これにより、外枠２内にビス等が突出して建具を傷つけるようなことがなく、簡易に固定することができる。この壁ボード６により、外枠２の前側および後側（前後方向両側）でそれぞれ強度を確保することができる。
【００３２】
そして、前記したように壁ボード６，６間に挟まれた空間が戸袋７として構成される空間であり、中間縦枠３から戸先側縦枠２１までの開口部が出入口８となっている。引き戸５が戸袋７内に収納されているときが、引き戸５の開状態であり、この開状態から、引き戸５が出入口８側に移動して出入口８を覆うときが、引き戸５の閉状態である。
【００３３】
以上によれば、本実施形態に係る引き戸ユニット１において、以下の効果を得ることができる。
【００３４】
このような引き戸ユニット１では、壁ボード６や中間縦枠３が外力を受けて撓んでも、ブラシ４が引き戸５に当接して支持するので、充分な強度を確保することができる。具体的には、従来、片側の中間縦枠３のみで受けていた横方向からの荷重を、本実施形態では、荷重が加わった側の中間縦枠３と、その中間縦枠３が撓んでブラシ４が当接する引き戸５と、この引き戸５が押されて当接する反対側の中間縦枠３とが一体化した壁構造で受けることができるので、充分な強度を確保することができる。
【００３５】
特に、ブラシ４は補強材３３の上下方向に沿って延設されていることから、補強材３３の全長に亘って補強をすることができる。また、正面側および背面側の補強材３３のそれぞれにブラシ４が設けられていることから、いずれの側からの外力にも対応した補強構造になっている。
【００３６】
また、中間縦枠３が撓んでも、引き戸５に当接するのはブラシ４の繊維４２であることから、その際の衝撃が緩和され、引き戸５の損傷を防止することができる。さらに、中間縦枠３と引き戸５の間では、ブラシ４が配設されている分隙間が狭くなっているので、戸袋７内が見えにくくなっており、美観の維持を図ることができるとともに、戸袋７内への埃の侵入も防止することができる。
【００３７】
以上、本実施形態の引き戸ユニット１について説明したが、本発明はこれに限定されるものではない。
【００３８】
図５は、ブラシの変形例を示す断面平面図である。
図５に示すように、ブラシ４’を、基材４５と、この基材４５に植毛される繊維４６とから構成してもよい。繊維４６は、例えば、フッ素樹脂繊維や、ナイロン繊維をフッ素樹脂加工したものであり、毛の長さが約１〜２ｍｍである。このブラシ４’は、引き戸との間の隙間を調整するため、基材４５の下側にゴム部材からなる台座４７を接着し、中間縦枠３に取り付けられる。このように、フッ素樹脂繊維や、ナイロン繊維をフッ素樹脂加工した繊維によれば、低摩擦特性を有するため、引き戸５と摺接した場合であっても、引き戸５の開閉をスムーズにするとともに、滑りやすくなっており、引き戸５を損傷させにくくなっている。
【００３９】
例えば、本実施形態では、ブラシ４を補強材３３の上下方向に沿って延設する構成としたが、本発明は限定されるものではなく、補強材３３に外力が加わったとき、最も撓みの大きい上下方向中央付近だけに、長さ約１００ｍｍのブラシ４を設ける構成としてもよい。ブラシ４の効率的な配設を実現できる。
【００４０】
例えば、本実施形態では、上吊式の引き戸５として説明したが、下部にローラを有する戸車式の引き戸にも対応することができる。
また、外枠２の構成は特に限定されるものではなく、下横枠２４は戸尻側縦枠２２から戸先側縦枠２１まで延びるものであってもよい。
また、中間縦枠３は、予め、外枠２に固定するものとしたが、外枠２を建物に設置後、中間縦枠３を外枠２に取り付けるものとしてもよい。これによれば、引き戸５を取り付けてから中間縦枠３を取り付けることができるので、引き戸５を設置時に損傷することがない。
【図面の簡単な説明】
【００４１】
【図１】本実施形態に係る引き戸ユニットを示す斜視図である。
【図２】本実施形態に係る引き戸ユニットを示す断面正面図である。
【図３】（ａ）は図２の引き戸ユニットのIII−III線矢視断面図であり、（ｂ）は（ａ）のブラシ近傍（符号Ａの囲った部分）の要部拡大図である。
【図４】図２の引き戸ユニットのIV−IV線矢視断面図である。
【図５】ブラシの変形例を示す断面平面図である。
【符号の説明】
【００４２】
１      引き戸ユニット
２      外枠
３      中間縦枠
４      ブラシ
５      引き戸
４１    基材
４２    繊維
【図１】
2007170082.tif 000003
【図２】
2007170082.tif 000004
【図３】
2007170082.tif 000005
【図４】
2007170082.tif 000006
【図５】
2007170082.tif 000007
【手続補正書】
【提出日】平成17年12月22日(2005.12.22)
【手続補正１】
【補正対象書類名】明細書
【補正対象項目名】００２８
【補正方法】変更
【補正の内容】
【００２８】
図３（ｂ）に示すように、ブラシ４（補強用ブラシ）は、基材４１と、この基材４１に密集して植毛される繊維４２とから構成される。この基材４１は、補強材３３の長さと略同一の長さを有しており、補強材３３の引き戸５側の面に上下方向に沿って、延設されている（図２参照）。繊維４２は、通常時、その先端部が引き戸５に当接しない長さに形成されており、その長さＬ１が約９ｍｍであることが好ましい。繊維４２は、特に限定されるものではないが、例えば、ナイロン繊維、ポリプロピレン繊維、フッ素樹脂繊維、または、ナイロン繊維をフッ素樹脂加工したものなどがある。ナイロン繊維によれば、磨耗性が良いため引き戸の損傷を防止することができる。また、ポリプロピレン樹脂繊維によれば、繊維が寝ないため、ナイロン繊維よりも強度を向上させることができる。